(57)【特許請求の範囲】
【請求項１】
画像表示可能領域に表示されている画像にさらに追加して追加画像を表示可能な画像表示装置であって、
ディスプレイと、
ディスプレイの画像表示可能領域の横軸中の位置を定めるホームポジション情報を保持する保持部と、
追加画像情報を取得する追加画像情報取得部と、
前記ホームポジション情報に基づいて追加画像の横軸配置位置を定めて前記追加画像情報に基づく追加画像をディスプレイに表示するための追加画像表示部と、
追加画像表示が行なわれるか判断し、追加画像表示が行なわれるとの判断結果である場合には、既に画像表示可能領域に表示されている画像を前記ホームポジション情報に基づいて左右二分割してリサイズし、追加画像の左右に表示する分割表示部と、
を有する画像表示装置。
【請求項２】
前記追加画像表示部は、ホームポジション情報として定められた画像表示可能領域の横軸中の位置を追加画像の左右中心位置として追加画像を表示する中心表示手段を有する請求項１に記載の画像表示装置。
【請求項３】
前記分割表示部は、
前記中心表示手段にて取得される左右中心位置から、すでに表示されている画像を左右に押しのけながら徐々にリサイズ表示するリサイズ分割手段を有し、
前記追加画像表示部は、
前記リサイズ分割手段により左右中心位置から徐々に広がる領域に追加画像を表示するカーテン表示手段を有する請求項２に記載の画像装置。
【請求項４】
前記保持部に保持されるホームポジション情報を管理するための管理部を有する請求項１から３のいずれか一に記載の画像表示装置。
【請求項５】
前記保持部に保持されるホームポジション情報は、画像表示可能領域の横軸の略中心座標である請求項１から４のいずれか一に記載の画像表示装置。
【請求項６】
ユーザーＩＤを保持するユーザーＩＤ保持部を有し、
前記保持部は、ユーザーＩＤと関連付けて複数のホームポジション情報を保持する複数保持手段を有する請求項１から３のいずれか一に記載の画像表示装置。
【請求項７】
前記画像表示可能領域の縦／横の比は、３／８よりも小さい値である請求項１から６のいずれか一に記載の画像表示装置。
【請求項８】
画像表示可能領域に表示されている画像にさらに追加して追加画像を表示可能な画像表示装置における追加画像表示方法であって、
ディスプレイの画像表示可能領域の横軸中の位置を定めるホームポジション情報に基づいて追加画像の横軸配置位置を定める横軸配置位置決定ステップと、
追加画像情報を取得する追加画像情報取得ステップと、
前記追加画像情報に基づく追加画像をディスプレイに表示するための処理を行う追加画像表示ステップと、
追加画像表示が行なわれるか判断する判断ステップと、
前記判断ステップにて追加画像表示が行なわれるとの判断結果である場合には、既に画像表示可能領域に表示されている画像を前記ホームポジション情報に基づいて左右二分割してリサイズし、追加画像の左右に表示する分割表示ステップと、
を有する追加画像表示方法。
【発明の詳細な説明】
【技術分野】
【０００１】
本発明は、画像表示装置に関するものである。
【背景技術】
【０００２】
ディスプレイの画面上に同時に複数の映像を表示するために、各映像信号を縮小／伸長して全部または一部を重畳して表示する画像表示装置はすでに提案されている（例えば、特許文献１参照）。
【特許文献１】特開平１１−２５９０５７号公報
【発明の開示】
【発明が解決しようとする課題】
【０００３】
しかしながら、利用者の視聴しやすさについては考慮されておらず、重畳の仕方によって、あるいは、利用者の視聴する位置によって、視認しづらい映像が生じる場合がある。
【課題を解決するための手段】
【０００４】
本発明は、かかる実情に鑑み、ディスプレイの画像表示可能領域の横軸中の位置を定めるホームポジション情報に基づいて、画像表示可能領域に表示されている画像にさらに追加して追加画像をディスプレイに表示することに特徴を有する画像表示装置を提案するものである。このとき、既に画像表示可能領域に表示されている画像を前記ホームポジション情報に基づいて左右二分割してリサイズし、追加画像の左右に表示することができる。
【発明の効果】
【０００５】
以上、説明したように本件発明のいずれか一又は二以上の発明に係る表示画像装置は、中央部に追加画像を、その脇に左右二分割して既表示画像を表示する表示形態を取ることができるため、利用者が最も注目している画像を中央部に配置しつつ、左右にサブ画面も表示して随時チェック可能となる。
【発明を実施するための最良の形態】
【０００６】
以下に、各発明を実施するための最良の形態を説明する。なお、本発明はこれら実施の形態に何ら限定されるものではなく、その要旨を逸脱しない範囲において、種々なる態様で実施しうる。
【０００７】
実施形態１、２は、主に請求項１、２、３、５、７、８などについて説明する。実施形態３は、主に請求項４などについて説明する。 実施形態４は、主に請求項６などについて説明する。
【０００８】
<<実施形態１>>
【０００９】
<実施形態１：概要>  実施形態１について説明する。本実施形態は、ディスプレイの画像表示可能領域の横軸中の位置を定めるホームポジション情報に基づいて、画像表示可能領域に表示されている画像にさらに追加して追加画像をディスプレイに表示することに特徴を有する画像表示装置である。
【００１０】
図１は、本実施形態の画像表示装置の一例を示すものである。すでに画像表示装置には、バスの映像コンテンツが表示されているものとする。ここに追加画像として、サッカー中継の映像コンテンツを追加して表示する。例えば、利用者が操作するなどして追加表示が実現できる。追加画像が配置される位置は、ホームポジション情報を基に定められる。ここでは、画像表示可能領域の横軸の中心座標（ＸＸＸ，０）がホームポジション情報であるとし、これを追加画像の左右中心位置として追加画像を表示する場面を示した。このとき、既に画像表示可能領域に表示されている画像を前記ホームポジション情報に基づいて左右二分割してリサイズし、追加画像の左右に表示する一例を示した。
【００１１】
<実施形態１：構成>  本実施形態での機能ブロックの一例を図２に示した。  図２に示す本実施形態の「画像表示装置」（０２００）は、「保持部」（０２０１）と、「追加画像情報取得部」（０２０２）と、「追加画像表示部」（０２０３）とを有し、追加画像表示部（０２０３）はさらに「中心表示手段」（０２０４）を有する場合がある。
【００１２】
「保持部」（０２０１）は、ホームポジション情報を保持する。「ホームポジション情報」とは、ディスプレイの画像表示可能領域の横軸中の位置を定める情報をいい、座標を示す情報などが該当する。ホームポジション情報は、通常画像表示可能領域の横軸の略中心座標であることが想定されるが、その他の位置でもよい。ホームポジション情報は、利用者が任意に設定し保持させることもできる（実施形態３にて詳述する。）。あるいは、チャネルに応じて、例えば、天気予報のチャネルは画面右寄りをホームポジションとし、右端に表示させるように定めることもできる。ホームポジション情報は、ＨＤＤなどに保持されていることが想定される。
【００１３】
また、保持部に保持されるホームポジション情報は、追加画像情報に依存しない唯一の値である場合がある。つまり、パソコンソフトにおいてはアプリケーションごとに表示される位置の情報が保持されているのに対して、本件発明においては追加画像情報ごとに位置情報を保持しているわけではない。したがって、パソコンソフトのようにアプリケーションによって表示される位置が定まる形態とは異なり、追加画像とこれが表示される位置は独立の関係にある。
【００１４】
「追加画像情報取得部」（０２０２）は、追加画像情報を取得する。「追加画像情報」とは、画像表示可能領域に表示されている画像にさらに追加して表示する追加画像を構成するための情報をいう。追加画像情報は、追加画像を特定するためのコンテンツ信号の識別情報などであってもよい。その場合、識別情報に基づいて、追加画像を構成するための情報を取得できる。追加画像は、すでに表示されていた画像（以下、既表示画像という。）と同じコンテンツであることを妨げるものではない。追加画像情報は、放送局や外部のサーバ装置などから配信されるコンテンツを受信することや、装置自身やＩ／Ｏを介して接続された装置などにて生成するデータを受信することによって取得できる。
【００１５】
「追加画像表示部」（０２０３）は、前記ホームポジション情報に基づいて追加画像の横軸配置位置を定めて前記追加画像情報に基づく追加画像をディスプレイに表示するための処理を行う。表示後は、既表示画像と追加画像が同時に表示されることになる。「ホームポジション情報に基づいて追加画像の横軸配置位置を定める」とは、ホームポジション情報によって特定される位置に追加画像を配置することが該当する。追加画像を配置する際には、例えば、追加画像の左端（あるいは右端）など基準となる位置を定めて、この位置とホームポジション情報によって特定される位置とを合致させる。具体的には、ホームポジション情報が１００ピクセルの場合には、その位置に追加画像の左端が表示されるような調整が行われる。
【００１６】
また、追加画像表示部が「中心表示手段」（０２０４）を有する場合には、追加画像を配置する際に基準となる位置を追加画像の左右中心位置とする。つまり、中心表示手段においては、ホームポジション情報に基づいて画像表示可能領域の横軸中の位置を追加画像の左右中心位置として追加画像を表示するための処理を行う。具体的には、ホームポジション情報が５１２ピクセルの場合には、その位置に追加画像の中央が表示されるような調整が行われる。
【００１７】
図３に示したのは、追加画像の表示形態の別の例を示したものである。いずれもホームポジション情報は、画像表示可能領域の横軸の中心座標であるとする。（ａ）では、既表示画像に重畳して追加画像が表示される場面を示した。また、（ｂ）では、ホームポジション情報に基づいて表示される追加画像を避けるように既表示画像が移動した場面を示した。
【００１８】
追加画像は、専属の操作によって追加されるように構成されていてもよい。また、他の操作に付随して表示処理が実行されるとしてもよい。例えば、利用者がチャネルを切替える際に、新しいチャネルのコンテンツが追加画像として表示され、既表示画像が追加画像の両側に移動し、両側に表示されていた画像の表示が消える。
【００１９】
「画像表示装置」（０２００）は、画像を表示可能なディスプレイ（液晶ディスプレイ、プラズマディスプレイ、ＥＬディスプレイ、冷陰極マトリックス型ディスプレイなど）を有する装置一般を広く含む。また、画像表示可能領域の縦／横の比は、３／８よりも小さい値であることが想定される。これにより、既表示画像と追加画像とを同時に表示した場合であっても、双方の画像が不自然に圧縮される事態を回避できる。また、画像表示可能領域の縦／横の比は、３／８よりも小さい値となり、画像表示装置自体が横方向にワイドとなると、図４のように利用者が画像表示装置の左右中央部から外れる位置にいる場合も想定されるが、その場合にもホームポジション情報を適当な位置に設定し、追加画像の表示位置を調整できる。
【００２０】
<実施形態１：具体例>  図５は、実施形態１の画像表示装置におけるハードウエア構成の一例を示す概略図である。この図を利用して、追加画像の表示処理におけるそれぞれのハードウエア構成部の働きについて説明する。この図にあるように、画像表示装置は、追加画像表示部である「ＣＰＵ（中央演算装置）」（０５０１）と、「メインメモリ」（０５０２）と、「グラフィックメモリ」（０５０３）とを備えている。また、保持部である「記憶装置（又は記憶媒体）」（０５０４）や、追加画像情報取得部である「受信チューナー」（０５０５）や、「インターフェース」（０５０６）も備えている。これらは、「システムバス」（０５０７）などのデータ通信経路によって相互に接続され、情報の送受信や処理を行う。
【００２１】
ここで、記憶装置はＣＰＵにて実行される各種プログラムや、ホームポジション情報などを記憶している。また、メインメモリは記憶装置に記憶されているプログラムを実行するために読み出しと同時にそのプログラムの作業領域でもあるワーク領域を提供する。さらに、このメインメモリや記憶装置にはそれぞれ複数のメモリアドレスが割り当てられており、ＣＰＵで実行されるプログラムは、そのメモリアドレスを特定しアクセスすることで相互にデータのやり取りを行い、処理することが可能となっている。
【００２２】
また、受信チューナーは、受信した追加画像情報のデータを記憶装置や受信チューナー用の一時記憶メモリなどに記憶する機能を備える。インターフェースは、既表示画像を構成する情報をメインメモリに伝送する機能や、メインメモリからグラフィックメモリへ画像データを伝送する機能を備える。
【００２３】
インターフェースにて追加画像の表示命令が取得されることにより、受信チューナーなどを介して追加画像情報Ｙがメインメモリ（１）に保持され、さらに、記憶装置のアドレスβに記憶されている追加画像展開プログラムＰがメインメモリのワーク領域上（３）に展開される。このとき、まず、追加画像展開プログラムＰは、「記憶装置のアドレスαの情報を取得し、メインメモリのアドレス２に格納せよ」との命令を送出する。この命令にしたがって、記憶装置からアドレスαに記憶されているホームポジション情報Ｈが読み出され、メインメモリのメモリアドレス２に格納される。
【００２４】
続いて、追加画像展開プログラムの「メインメモリのアドレス２の情報に基づいて、追加画像の横軸配置位置を定め、グラフィックメモリに格納せよ」との命令に従い、ＣＰＵにて追加画像の配置位置を決定するための演算処理が行われる。追加画像の配置位置が決定すると、取得した追加画像情報Ｙと、メインメモリに保持された既表示画像情報Ｘとから、グラフィックメモリのピクセルごとに画像データが算出されグラフィックメモリに格納される。このデータはインターフェースを介してディスプレイに出力される。
【００２５】
<実施形態１：処理の流れ>  図６は、実施形態１の画像表示装置における画像表示可能領域に表示されている画像にさらに追加して追加画像を表示する処理の流れを示したものである。まず、ディスプレイの画像表示可能領域の横軸中の位置を定めるホームポジション情報に基づいて追加画像の横軸配置位置を定める（横軸配置位置決定ステップ  Ｓ０６０１）。このとき、メモリなどに保持されているホームポジション情報を読み出し、これによって特定される位置を、追加画像を配置する位置と定める。次に、追加画像情報を取得する（追加画像情報取得ステップ  Ｓ０６０２）。このとき、追加画像情報は、放送局や外部のサーバ装置などから配信されるコンテンツを受信することや、装置自身やＩ／Ｏを介して接続された装置などにて生成するデータを受信することによって取得できる。最後に、前記追加画像情報に基づく追加画像をディスプレイの前記配置位置に追加表示するための処理を行う（追加画像表示ステップ  Ｓ０６０３）。
【００２６】
以上の処理は、計算機に実行させるためのプログラムで実行することができ、また、このプログラムを計算機によって読取り可能な記録媒体に記録することができる。（本明細書の全体を通して同様である。）
【００２７】
<実施形態１：効果>  本実施形態は、ディスプレイの画像表示可能領域の横軸中の位置を定めるホームポジション情報に基づいて、画像表示可能領域に表示されている画像にさらに追加して追加画像をディスプレイに表示することに特徴を有する画像表示装置である。追加画像を表示する位置をホームポジション情報にて自由に定められることで、利用者の視聴しやすさについて十分に考慮することができる。
【００２８】
<<実施形態２>>
【００２９】
<実施形態２：概要>  実施形態２について説明する。本実施形態は、追加画像表示が行なわれるとの判断結果である場合には、既に画像表示可能領域に表示されている画像を前記ホームポジション情報に基づいて左右二分割してリサイズし、追加画像の左右に表示することに特徴を有する画像表示装置である。
【００３０】
<実施形態２：構成１>  本実施形態での機能ブロックの一例を図７に示した。  図７に示す本実施形態の「画像表示装置」（０７００）は、「保持部」（０７０１）と、「追加画像情報取得部」（０７０２）と、「追加画像表示部」（０７０３）と、さらに、「分割表示部」（０７０５）とを有し、追加画像表示部（０７０３）は「中心表示手段」（０７０４）を有するとしてもよい。ここでは、「分割表示部」（０７０５）を有することに特徴を有する。
【００３１】
「分割表示部」（０７０５）は、追加画像表示が行なわれるか判断し、追加画像表示が行なわれるとの判断結果である場合には、既に画像表示可能領域に表示されている画像を前記ホームポジション情報に基づいて左右二分割してリサイズし、追加画像の左右に表示する。利用者によって追加画像の表示実行操作が行われた場合、あるいは、チャネル切替などの操作に付随して表示処理が実行される際は当該操作が行われた場合には、追加画像表示が行なわれると判断できる。追加画像表示が行なわれるとの判断結果である場合には、既に画像表示可能領域に表示されている画像を前記ホームポジション情報で特定される位置にて左右二分割してリサイズする。つまり、追加画像の左右に既表示画像を左部分、右部分に分けて表示する。これにより、追加画像のみでなく、既表示画像も画像全体が表示される。
【００３２】
図８に示したのは、ホームポジション情報に応じて追加画像を表示する例である。（ａ）は、画面表示領域の横軸の中心をホームポジション情報にて特定した場合に、既表示画面が左寄りに配置されていることにより不均等に分割されて表示される例を示した。追加画像脇には均等に画面表示領域が残存するが、右側の既表示画像の方が左側よりも圧縮率が高い。また（ｂ）は、追加画像の横軸の中心をホームポジション情報にて特定した場合に、追加画像脇の不均等に残存する画面表示領域に既表示画面が均等に左右二分割されて表示される例を示した。追加画像脇には不均等に画面表示領域が残存するため、表示する既表示画像は均等に二分割された画像であるが、右側の既表示画像の方が左側よりも圧縮率が高い。
【００３３】
その他各部の処理については、実施形態１と同様である。
【００３４】
<実施形態２：構成２>  本実施形態での機能ブロックの一例を図９に示した。  図９に示す本実施形態の「画像表示装置」（０９００）は、「保持部」（０９０１）と、「追加画像情報取得部」（０９０２）と、「追加画像表示部」（０９０３）と、「分割表示部」（０９０５）とを有し、さらに、分割表示部（０９０５）は「リサイズ分割手段」（０９０６）を有し、追加画像表示部（０９０３）は「中心表示手段」（０９０４）と、「カーテン表示手段」（０９０７）を有する。
【００３５】
「リサイズ分割手段」（０９０６）は、前記中心表示手段（０９０４）にて取得される左右中心位置から、すでに表示されている画像を左右に押しのけながら徐々にリサイズ表示する。リサイズすることで、既表示画像が圧縮され画像全体としては縮小されて表示される。
【００３６】
「カーテン表示手段」（０９０７）は、前記リサイズ分割手段（０９０６）により左右中心位置から徐々に広がる領域に追加画像を表示する。図１０、１１に追加画像が表示される動的プロセスの概略を示した。図１０では、圧縮された追加画像が徐々に伸長しながら表示される場面を、図１１では、表示される範囲が徐々に広がり最終的に全ての画像が表示される場面を示した。
【００３７】
その他各部の処理については、実施形態１と同様である。
【００３８】
<実施形態２：具体例>  図１２は、実施形態２の画像表示装置におけるハードウエア構成の一例を示す概略図である。この図を利用して、追加画像の表示処理におけるそれぞれのハードウエア構成部の働きについて説明する。この図にあるように、画像表示装置は、追加画像表示部である「ＣＰＵ（中央演算装置）」（１２０１）と、「メインメモリ」（１２０２）と、「グラフィックメモリ」（１２０３）とを備えている。また、保持部である「記憶装置（又は記憶媒体）」（１２０４）や、追加画像情報取得部である「受信チューナー」（１２０５）や、「インターフェース」（１２０６）も備えている。これらは、「システムバス」（１２０７）などのデータ通信経路によって相互に接続され、情報の送受信や処理を行う。
【００３９】
本実施形態では、分割表示部における処理を「ＣＰＵ（中央演算装置）」（１２０１）と、「メインメモリ」（１２０２）と、「グラフィックメモリ」（１２０３）にて実行する。最初に、記憶装置のアドレスβに記憶されている分割表示プログラムＰ２がメインメモリのワーク領域上（３）に展開される。このとき、まず、分割表示プログラムＰ２は、「記憶装置のアドレスαの情報を取得し、メインメモリのアドレス２に格納せよ」との命令を送出する。この命令にしたがって、記憶装置からアドレスαに記憶されているホームポジション情報Ｈが読み出され、メインメモリのメモリアドレス２に格納される。このホームポジション情報Ｈに基づいて、ＣＰＵにて既表示画像情報Ｘによって構成される既表示画像を左右二分割（Ｘ１、Ｘ２）する。次に、ＣＰＵは追加画像を表示後に残存する画像表示領域を左右算出し、これに応じて二分割した既表示画像のそれぞれの圧縮率を演算する。このとき求められた圧縮率に基づいて、既表示画像をリサイズし、追加画像の左右に表示するために、グラフィックメモリのピクセルごとに画像データの算出を行い、グラフィックメモリに格納する。このデータはインターフェースを介してディスプレイに出力される。
【００４０】
また、既表示画像を左右に押しのけながら徐々にリサイズ表示し、その際に左右中心位置から徐々に広がる領域に追加画像を表示する表示形態の場合について以下説明する。まず、ホームポジション情報Ｈに基づいて、ＣＰＵにて既表示画像情報Ｘによって構成される既表示画像を左右二分割した後、分割した断面部分にて左右に任意のピクセル（ｎピクセル）を除去して、ｎピクセル分だけ左右に既表示画面を圧縮する。このとき生じた領域に追加画像情報からｎ×２ピクセル補充する。補充は、追加画像の横軸中心から両端に向かって取得するとしてもよい（図１１で示した例）し、追加画像をｎ×２ピクセルに圧縮した場合のピクセル値を取得するとしてもよい（図１０で示した例）。
【００４１】
次の段階としては、追加画像に隣接する部分にて左右に任意のピクセル（ｎピクセル）を除去して、ｎピクセル分だけ左右にさらに既表示画面を圧縮する。このとき生じた領域に追加画像情報からｎ×２ピクセル補充する。補充は前述と同様に、追加画像の横軸の隣接部分から両端に向かって取得するとしてもよいし、追加画像をｎ×４ピクセルに圧縮した場合のピクセル値を取得するとしてもよい。これを追加画像全体が表示されるまで繰り返す。
【００４２】
なお、既表示画像と追加画像とのピクセル値が算出できれば、随時これらを合成し、グラフィックメモリに格納することで、既表示画像を左右に押しのけながら徐々にリサイズ表示し、その際に左右中心位置から徐々に広がる領域に追加画像を表示する表示形態が実現できる。
【００４３】
<実施形態２：処理の流れ>  図１３は、実施形態２の画像表示装置における画像表示可能領域に表示されている画像にさらに追加して追加画像を表示する処理の流れを示したものである。まず、追加画像表示が行なわれるか判断する（判断ステップ  Ｓ０１３０１）。これは、利用者によって追加画像の表示実行操作が行われた場合、あるいは、チャネル切替などの操作に付随して表示処理が実行される際は当該操作が行われた場合に、追加画像表示が行なわれると判断する。判断ステップ（Ｓ１３０１）にて追加画像表示が行なわれるとの判断結果である場合には、既に画像表示可能領域に表示されている画像を構成する情報である既表示画像情報を、ディスプレイの画像表示可能領域の横軸中の位置を定めるホームポジション情報で特定される位置から２ｎピクセル分除去し、残りの既表示画像情報を圧縮して保持する（既表示画像圧縮ステップ  Ｓ１３０２）。このとき、ｎは任意の数を意味し、例えば初期値として１を付与しておく。なお、判断ステップ（Ｓ１３０１）にて追加画像表示が行なわれないとの判断結果である場合には、処理を終了する。
【００４４】
次に、追加画像情報を２ｎピクセル取得する（追加画像情報取得ステップ  Ｓ１３０３）。このとき、追加画像情報は、放送局や外部のサーバ装置などから配信されるコンテンツを受信することや、装置自身やＩ／Ｏを介して接続された装置などにて生成するデータを受信することによって取得できる。取得する２ｎピクセル分の追加画像情報は、追加画像を圧縮して２ｎピクセルにしたデータでもよいし、ホームポジション情報で特定される位置から２ｎピクセル分取得したデータでもよい。
【００４５】
その次に、圧縮して保持された既表示画像情報によって構成される既表示画像と、取得した追加画像情報によって構成される追加画像とを合成し、合成画像情報として保持する（合成画像生成ステップ  Ｓ１３０４）。さらに、前記合成画像情報により構成される合成画像をディスプレイに表示する（表示ステップ  Ｓ１３０５）。
【００４６】
最後に、２ｎが追加画像の最大ピクセル数であるかを判定し（ピクセル判定ステップ  Ｓ１３０６）、最大ピクセル数に至っていれば追加画像が全て表示されていると判断できるため処理を終了する。他方、未だ２ｎが最大ピクセル数に至っていなければ追加画像は表示途中であるからｎをインクリメントして、既表示画像圧縮ステップ（Ｓ１３０２）へ戻る。以上のように、Ｓ１３０２からＳ１３０５を繰り返すことで、既表示画像を左右に押しのけながら徐々にリサイズ表示しながら、左右中心位置から徐々に広がる領域には追加画像がカーテンを開くように表示されることになる。
【００４７】
<実施形態２：効果>  本実施形態は、追加画像表示が行なわれるとの判断結果である場合には、既に画像表示可能領域に表示されている画像を前記ホームポジション情報に基づいて左右二分割してリサイズし、追加画像の左右に表示することに特徴を有する画像表示装置である。利用者がディスプレイに比較的近い位置で視聴する場合、通常よく見られる左右にメイン、サブの画像が表示される表示形態では視聴しづらいことが多い。しかし、本実施形態のように中央部に追加画像を、その脇に左右二分割して既表示画像を表示する表示形態であれば、利用者が最も注目している画像を中央部に配置しつつ、左右にサブ画面も表示して随時チェックしやすいといえる。例えば、中央部に配置する追加画像として、パソコンの画面を表示する場合には、利用者はパソコンの操作をしながらも左右のサブ画面を随時チェック可能となる。
【００４８】
<<実施形態３>>
【００４９】
<実施形態３：概要>  実施形態３について説明する。ホームポジション情報を管理することに特徴を有する画像表示装置である。
【００５０】
<実施形態３：構成>  本実施形態での機能ブロックの一例を図１４に示した。  図１４に示す本実施形態の「画像表示装置」（１４００）は、「保持部」（１４０１）と、「追加画像情報取得部」（１４０２）と、「追加画像表示部」（１４０３）と、さらに、「管理部」（１４０４）とを有する。これは、実施形態１を基本とした機能ブロック図であるが、その他の実施形態を基本とする場合には、その他の構成要件が必要となる場合もある。
【００５１】
「管理部」（１４０４）は、前記保持部（１４０１）に保持されるホームポジション情報を管理するための処理を行う。ホームポジション情報の管理とは、ホームポジション情報の追加、削除、変更などが該当する。利用者がホームポジション情報の追加等が可能となることで、追加画像を表示する位置を任意に定めることができる。
【００５２】
<実施形態３：具体例>  図１５は、実施形態３の画像表示装置におけるハードウエア構成の一例を示す概略図である。この図を利用して、追加画像の表示処理におけるそれぞれのハードウエア構成部の働きについて説明する。この図にあるように、画像表示装置は、追加画像表示部である「ＣＰＵ（中央演算装置）」（１５０１）と、「メインメモリ」（１５０２）と、「グラフィックメモリ」（１５０３）とを備えている。また、保持部である「記憶装置（又は記憶媒体）」（１５０４）や、追加画像情報取得部である「受信チューナー」（１５０５）や、「インターフェース」（１５０６）も備えている。これらは、「システムバス」（１５０７）などのデータ通信経路によって相互に接続され、情報の送受信や処理を行う。
【００５３】
本実施形態では、管理部における処理を「ＣＰＵ（中央演算装置）」（１５０１）と、「メインメモリ」（１５０２）にて実行する。最初に、記憶装置のアドレスβに記憶されている管理プログラムＰ３がメインメモリのワーク領域上（３）に展開される。このとき、まず、管理プログラムＰ３は、「記憶装置のアドレスαの情報を取得し、メインメモリのアドレス２に格納せよ」との命令を送出する。この命令にしたがって、記憶装置からアドレスαに記憶されているホームポジション情報Ｈが読み出され、メインメモリのメモリアドレス２に格納される。利用者は画像表示装置を操作することによって、ホームポジション情報Ｈの追加、削除、変更などが可能となる。続いて、管理プログラムＰ３では、「メインメモリのアドレス２の情報を、記憶装置のアドレスαに格納せよ」との命令が実行される。メインメモリに保持されているホームポジション情報Ｈに追加、削除、変更などが加えられた後、インターフェースを介してホームポジション情報Ｈは記憶装置のアドレスαに格納される。
【００５４】
<実施形態３：効果>  本実施形態は、ホームポジション情報を管理することに特徴を有する画像表示装置である。利用者がホームポジション情報の追加等が可能となることで、利用者が自身で最も視聴しやすい位置に画像を適宜配置でき、利便性が高い。
【００５５】
<<実施形態４>>
【００５６】
<実施形態４：概要>  実施形態４について説明する。ユーザーＩＤと関連付けて複数のホームポジション情報を保持することに特徴を有する画像表示装置である。
【００５７】
<実施形態４：構成>  本実施形態での機能ブロックの一例を図１６に示した。  図１６に示す本実施形態の「画像表示装置」（１６００）は、「保持部」（１６０１）と、「追加画像情報取得部」（１６０２）と、「追加画像表示部」（１６０３）と、さらに、「ユーザーＩＤ保持部」（１６０４）とを有し、保持部（１６０１）は「複数保持手段」（１６０５）を有する。これは、実施形態１を基本とした機能ブロック図であるが、その他の実施形態を基本とする場合には、その他の構成要件が必要となる場合もある。
【００５８】
「ユーザーＩＤ保持部」（１６０４）は、ユーザーＩＤを保持する。ユーザーＩＤは、利用者を識別するための識別情報であり、各利用者を一意に識別する。
【００５９】
「複数保持手段」（１６０５）は、ユーザーＩＤと関連付けて複数のホームポジション情報を保持する。利用者ごとにホームポジション情報が関連付けられていることで、利用者の視聴位置や、作業状態に応じて、メインの画面の配置位置を定めることができる。利用者は、視聴時や追加画像表示の際にユーザーＩＤを入力するなどして、自身に最適な位置に追加画像が表示されるようにすることが想定される。
【００６０】
<実施形態４：効果>  本実施形態は、ユーザーＩＤと関連付けて複数のホームポジション情報を保持することに特徴を有する画像表示装置である。利用者ごとに自身に最適な位置に追加画像を配置することが可能となるため、さらに利便性が高い。
【図面の簡単な説明】
【００６１】
【図１】実施形態１を説明するための概念図
【図２】実施形態１を説明するための機能ブロック図
【図３】実施形態１において追加画像の表示形態の例を示す図
【図４】実施形態１においてホームポジション情報が中心から外れた位置にある場面を示す図
【図５】実施形態１のハードウエア構成の一例を示す概略図
【図６】実施形態１の処理の流れを示した図
【図７】実施形態２の構成１を説明するための機能ブロック図
【図８】実施形態２においてホームポジション情報に応じて追加画像を表示する例を示す図
【図９】実施形態２の構成２を説明するための機能ブロック図
【図１０】実施形態２におけるカーテン表示を説明するための図（その１）
【図１１】実施形態２におけるカーテン表示を説明するための図（その２）
【図１２】実施形態２のハードウエア構成の一例を示す概略図
【図１３】実施形態２の処理の流れを示した図
【図１４】実施形態３を説明するための機能ブロック図
【図１５】実施形態３のハードウエア構成の一例を示す概略図
【図１６】実施形態３を説明するための機能ブロック図
【符号の説明】
【００６２】
０２００    画像表示装置
０２０１    保持部
０２０２    追加画像情報取得部
０２０３    追加画像表示部
０２０４    中心表示手段
【図１】
0004835916.tif 000002
【図２】
0004835916.tif 000003
【図３】
0004835916.tif 000004
【図４】
0004835916.tif 000005
【図５】
0004835916.tif 000006
【図６】
0004835916.tif 000007
【図７】
0004835916.tif 000008
【図８】
0004835916.tif 000009
【図９】
0004835916.tif 000010
【図１０】
0004835916.tif 000011
【図１１】
0004835916.tif 000012
【図１２】
0004835916.tif 000013
【図１３】
0004835916.tif 000014
【図１４】
0004835916.tif 000015
【図１５】
0004835916.tif 000016
【図１６】
0004835916.tif 000017